(57)【要約】【課題】練習者が初心者の場合でも、正しいゴルフのスイングフォームを容易に身に付けることができるゴルフスイング練習具を提供する。【解決手段】ゴルフスイング練習具１は、ゴルフクラブのシャフトに対応する棒状のシャフト部２と、シャフト部２と屈曲して接続し、ゴルフクラブのゴルフヘッドに対し、ヒール位置からトゥ位置までの距離より大きい長さで、シャフト部２から延設された棒状の疑似クラブヘッド部３と、を有し、シャフト部２と疑似クラブヘッド部３とは、ゴルフクラブのライ角に対応した角度θで屈曲している。【選択図】 図１
0003188636.tif 000002
【実用新案登録請求の範囲】
【請求項１】
ゴルフスイングの練習で用いるゴルフスイング練習具において、
ゴルフクラブのシャフトに対応する棒状のシャフト部と、
前記シャフト部と屈曲して接続し、前記ゴルフクラブのゴルフヘッドに対し、ヒール位置からトゥ位置までの距離より大きい長さで、延設された棒状の疑似クラブヘッド部と、を有し、
前記シャフト部と前記疑似クラブヘッド部とは、前記ゴルフクラブのライ角に対応した角度で屈曲していること、
を特徴とするゴルフスイング練習具。
【請求項２】
請求項１に記載するゴルフスイング練習具において、
前記疑似クラブヘッド部は、軸方向の外周を曲面で形成したものであること、
を特徴とするゴルフスイング練習具。
【考案の詳細な説明】
【技術分野】
【０００１】
この考案は、ゴルフスイングの練習で用いるゴルフスイング練習具に関する。
【背景技術】
【０００２】
ゴルフでは、ヘッドの打点にゴルフボールを正確に捉えてゴルフクラブをスイングすることが求められるが、ゴルフスイングを正しいフォームで行うことは、初心者は勿論のこと、ゴルフ経験の長い人にとっても、一般的に難しいとされている。そこで、正しいフォームのゴルフスイングを身につける練習を行うときに用いる練習具として、例えば、特許文献１〜３に開示された種々の練習用具が提案されている。
【０００３】
特許文献１は、線状体を巻き付けた巻き取り手段を、打点位置に設置しておき、この線状体の一端をゴルフクラブのグリップエンドに装着することにより、練習者のゴルフスイング動作が正しいスイング軌道を辿っているかを、線状体の動きに基づいて、練習者自身で確認する練習用具である。特許文献２は、クラブヘッドが付いた略Ｕ字形状のシャフトにおいて、クラブヘッドからの延長線上に位置する第１シャフト部と、この第１シャフト部と平行な第２シャフト部との間に形成される垂直面を、スイング動作時に、練習者自身で確認しながら正しいフォームを身に付けていく練習用具である。特許文献３は、クラブヘッドが付いていないシャフトに、グリップに近い端にコントロールウエイトを、グリップとは反対側の端にバランスウエイトを取り付けた練習向けの疑似的ゴルフクラブである。
【先行技術文献】
【特許文献】
【０００４】
【特許文献１】実用新案登録第３１７４９９１号公報
【特許文献２】特開２０１０‐２０７５５７号公報
【特許文献３】特開２００８‐８００８２号公報
【考案の概要】
【考案が解決しようとする課題】
【０００５】
しかしながら、従来のゴルフスイング練習用具には、以下の問題があった。ゴルフクラブのクラブヘッドは、ネックでシャフトから一定の角度で屈曲し、ヒールからトゥまでの長さが僅か数センチ程度と短く、打点位置までの距離も近い。そのため、スイングする人の中でも、とりわけ初心者は一般的に、地面に置かれているゴルフボールにクラブヘッドのフェースを意識的に当ててゴルフクラブをスイングしようとする傾向が顕著にある。しかしながら、このようなスイングでは、正確にクラブヘッドの打点でゴルフボールを捉えることはできない。特許文献１、２の練習用具を、ある程度の技量を備えた人が使用する場合には、スイングフォームの改善が多少なりとも期待できるが、初心者の場合、傾注すべきシャフトの円軌道の動きよりも、クラブヘッドの動きに意識的に気を取られてしまうため、スイングフォームを効果的に改善できない虞がある。また、ゴルフスイングの正しいフォームの一つとして、近年主流となっているスイング動作「インサイド・イン」では、シャフトが正しい軌跡で斜めに円運動することが重要となる。クラブヘッドの打点が、トップ位置からインパクト位置を経てフィニッシュ位置に至るまで、フェースの面振れがないまま、この円運動に追従した動きになっていないと、ゴルフボールを正確にクラブヘッドの打点で捉えることができず、意図する方向にゴルフボールが飛ばないからである。特許文献３の練習用具は、シャフトを正しい軌跡で円運動させる練習には適するが、この円運動に追従するクラブヘッドの打点位置が確認できないため、ゴルフボールの飛球方向のコントロールを向上させる練習ができない。
【０００６】
本考案は、上記問題点を解決するためになされたものであり、練習者が初心者の場合でも、正しいゴルフのスイングフォームを容易に身に付けることができるゴルフスイング練習具を提供することを目的とする。
【課題を解決するための手段】
【０００７】
本考案に係るゴルフスイング練習具は、以下の構成を有する。
（１）ゴルフスイングの練習で用いるゴルフスイング練習具において、ゴルフクラブのシャフトに対応する棒状のシャフト部と、前記シャフト部と屈曲して接続し、前記ゴルフクラブのゴルフヘッドに対し、ヒール位置からトゥ位置までの距離より大きい長さで、前記シャフト部から延設された棒状の疑似クラブヘッド部と、を有し、前記シャフト部と前記疑似クラブヘッド部とは、前記ゴルフクラブのライ角に対応した角度で屈曲していること、を特徴とする。
（２）（１）に記載するゴルフスイング練習具において、前記疑似クラブヘッド部は、軸方向の外周を曲面で形成したものであること、を特徴とする。
【考案の効果】
【０００８】
上記構成を有する本考案に係るゴルフスイング練習具の作用・効果について、説明する。
（１）ゴルフスイングの練習で用いるゴルフスイング練習具において、ゴルフクラブのシャフトに対応する棒状のシャフト部と、シャフト部と屈曲して接続し、ゴルフクラブのゴルフヘッドに対し、ヒール位置からトゥ位置までの距離より大きい長さで、シャフト部から延設された棒状の疑似クラブヘッド部と、を有し、シャフト部と疑似クラブヘッド部とは、ゴルフクラブのライ角に対応した角度で屈曲していること、を特徴とする。これにより、正しいフォームの一つとして、近年主流となっているスイング動作「インサイド・イン」のゴルフスイングを身に付ける練習を、本考案に係るゴルフスイング練習具で行うと、練習者は、斜め状に円運動させるシャフト部を、正しい軌跡でスイングさせることに集中できる。その結果、正しいゴルフのスイングフォームとして、シャフト部との屈曲位置から離れた位置にある打点が、ゴルフボール、またはゴルフボールに見立てた疑似的ゴルフボール等、打球対象物まで適切な軌跡で運び込まれ易くなり、打点で正確に捉えてインパクトした打球対象物が、意図する方向に正確に飛球する。
従って、本考案に係るゴルフスイング練習具によれば、練習者が初心者の場合でも、正しいゴルフのスイングフォームを容易に身に付けることができる、という優れた効果を奏する。
【０００９】
（２）疑似クラブヘッド部は、軸方向の外周を曲面で形成したものであるので、練習者が、スイングの練習に本考案のゴルフスイング練習具を用いて行うと、ゴルフボールを打撃するときのゴルフヘッドの打点をより正確な位置で捉えることができるスキルが身に付き易くなる。特に、疑似クラブヘッド部の曲面上に、例えば、視覚的に識別し易い色のテープの貼付や、複数のＬＥＤライトを軸方向に沿って配設しておくこと等、スイング時に自己動作チェックできるマーカーがあると、クラブヘッドのフェースの向きを特に意識しなくても、実際のゴルフボールを正確な打点位置で捉えるスキルが自然と身に付きようになる。ひいては、練習者が、実際のゴルフクラブを使用してスイングしたときにでも、違和感なく正確しいフォームでスイングすることができる。
【図面の簡単な説明】
【００１０】
【図１】実施形態に係るゴルフスイング練習具を示す斜視図である。
【図２】実施形態に係るゴルフスイング練習具を用いたゴルフスイングについて、アドレスからフィニッシュまでの各動作を、７つのコマに分けて示した説明図である。
【図３】実施形態に係るゴルフスイング練習具の作用を説明する図である。
【考案を実施するための形態】
【００１１】
（実施形態）
以下、本考案に係るゴルフスイング練習具について、実施形態を図面に基づいて詳細に説明する。本実施形態では、ゴルフスイングを行う練習者が、ゴルフボールに見立てた打球対象物として、硬式テニスボール程度の大きさの疑似的なゴムボールを、本考案に係るゴルフスイング練習具を用いて、室内に設置した目標飛球エリアに向けて打球する場合を挙げて、説明する。図１は、実施形態に係るゴルフスイング練習具を示す斜視図である。
【００１２】
ゴルフスイング練習具１は、ゴルフスイングのフォームを正しく身に付ける練習を行うときに用いる用具であり、図１に示すように、略逆さへ字型形状に形成されている。ゴルフスイング練習具１は、ゴルフクラブ（図示せず）のシャフトに対応する棒状のシャフト部２と、シャフト部２と一体で接続し、シャフト部２から屈曲して延設された棒状の疑似クラブヘッド部３とを有している。シャフト部２の軸Ｌと疑似クラブヘッド部３の軸Ｍとは、ゴルフクラブのライ角に対応した角度θで屈曲している。
【００１３】
ゴルフスイング練習具１は、本実施形態では、樹脂製の丸パイプからなるため、疑似クラブヘッド部３の軸Ｍ方向の外周を曲面３ａで形成されていると共に、実際のゴルフクラブより軽量となっている。疑似クラブヘッド部３の曲面３ａの上部には、疑似クラブヘッド部３と容易に識別可能な色のテープ等によるマーカー４が、軸方向Ｌに沿って記されている。
【００１４】
シャフト部２は、実際のゴルフクラブのシャフトに比べ、太さを、握り易い程度にやや太くし、長さを、例えば、４０〜８０ｃｍ程度に短くして構成されている。疑似クラブヘッド部３は、シャフト部２よりやや太くなっており、ゴルフクラブのゴルフヘッドに対し、ヒール位置からトゥ位置までの距離より大きい長さである。具体的には、シャフト部２との屈曲部位から先端部位までの長さは、本実施形態では、例えば、３５ｃｍ程度としている。
【００１５】
次に、ゴルフスイング練習具１を用いたゴルフスイングの練習方法について、説明する。図２は、ゴルフスイング練習具を用いたゴルフスイングについて、アドレスからフィニッシュまでの各動作を、７つのコマに分けて示した説明図である。図３は、ゴルフスイング練習具の作用を説明する図である。
【００１６】
まず、スイングした打球対象物を飛ばす飛球方向（図３に示す矢印方向）に対し、練習者のスイング位置から数ｍ離れた前方位置に、図３に示すように、目標飛球エリア１３を設置しておく。また、練習者がインパクトする位置にボール支持台１２を設置し、ボール支持台１２に載置したゴムボール１１を、床面より高い位置でインパクトできるようにしておく。なお、ボール支持台１２を設置せず、直に床面に置いたゴムボール１１をインパクトしても良い。また、目標飛球エリア１３に鏡を立てておき、スイングする練習者自身のフォームを鏡に映して、練習者自身で確認できるようにしても良い。
【００１７】
練習者は、ゴルフスイング練習具１のシャフト部２を掴み、飛球方向と直交する方向にマーカー４を向けて疑似クラブヘッド部３をセットし、ボール支持台１２上のゴムボール１１に対し、アドレスのスタンスをとる（図２（ａ））。次に、練習者は、体軸が大きく振れず、シャフト部２を掴んだまま、テイクバックのスタンスをとる。このとき、練習者は、図２（ｂ）に示すように、テイクバックの途中で、疑似クラブヘッド部３が飛球方向と平行になる軌跡を辿るよう、曲面３ａ上にある打点５の位置と共に、マーカー４の方向をチェックしながら、ゴルフスイング練習具１をトップ位置まで移動させる。打点５は、疑似クラブヘッド部３先端より少しシャフト部２側寄りの位置に設定しておく。
【００１８】
次に、練習者は、ゴルフスイング練習具１をトップ位置から、図２（ｄ）に示すように、疑似クラブヘッド部３が飛球方向と平行になる軌跡を辿って、インパクト位置までダウンスイングする。具体的には、練習者は、自身を回転軸に斜めの円軌道を描きながら、ゴルフスイング練習具１のシャフト部２をダウンスイングし、疑似クラブヘッド部３の曲面３ａ上の打点５で、ボール支持台１２に載置したゴムボール１１を打球する。ゴムボール１１のインパクト後、練習者は、図２（ｆ）に示すように、マーカー４の向きを目安に、疑似クラブヘッド部３が飛球方向と平行になる軌跡を辿って、フィニッシュ位置までフォロースルーする。
【００１９】
実際のゴルフクラブでは、クラブヘッドは、ネックでシャフトから屈曲した位置にあるヒールからトゥまでの長さが僅か数センチ程度と短く、打点位置までの距離も近いため、スイング時に、シャフトの回転動作とこの動作に連動するクラブヘッドの回転動作に、狂いが多少なりともあっても、ゴルフボールにクラブヘッドを当てることはできる。このことは、打撃したゴルフボールが、意図する方向に飛球しないことを意味する。
【００２０】
これに対し、ゴルフスイング練習具１では、打点５の位置は、シャフト部２との屈曲位置より約３０ｃｍ程度も離れている。そのため、練習者が、シャフト部２を、より正確な円軌道でダウンスイングし、マーカー４を目安に、飛球方向と直交する方向に疑似クラブヘッド部３を意識的に向けてインパクトしないと、疑似クラブヘッド部３の曲面３ａ上の打点５に、ボール支持台１２上のゴムボール１１を当てることができない。疑似クラブヘッド部３を上記直交する方向に向けて、疑似クラブヘッド部３の曲面３ａ上の打点５で打撃したゴムボール１１は、図３に示すように、意図する方向（図３に示す矢印方向）に飛球し、目標飛球エリア１３内に当たる。一方、疑似クラブヘッド部３で打撃したゴムボール１１が、目標飛球エリア１３から外れて当たらなければ、図２（ｅ）に示すように、飛球方向と直交する方向に疑似クラブヘッド部３を向けて、ゴルフスイング練習具１をスイングしていないことが、練習者の課題として残る。
【００２１】
本実施形態のゴルフスイング練習具１では、棒状のシャフト部２と、このシャフト部２と屈曲して接続し、ゴルフクラブのゴルフヘッドに対しヒール位置からトゥ位置までの距離より大きい長さで、シャフト部２から延設された棒状の疑似クラブヘッド部３と、を有し、シャフト部２の軸Ｌと疑似クラブヘッド部３の軸Ｍとは、ゴルフクラブのライ角に対応した角度で屈曲している。これにより、正しいフォームの一つとして、近年主流となっているスイング動作「インサイド・イン」のゴルフスイングを身に付ける練習をゴルフスイング練習具１で行うと、練習者は、斜め状に円運動させるシャフト部２を、正しい軌跡でスイングさせることに集中できる。その結果、正しいゴルフのスイングフォームとして、シャフト部２との屈曲位置から離れた位置にある打点５が、ボール支持台１２上のゴムボール１１まで適切な軌跡で運び込まれ易くなり、打点５で正確に捉えてインパクトしたゴムボール１１が、意図する方向に正確に飛球する。
従って、本考案に係るゴルフスイング練習具１によれば、練習者が初心者の場合でも、正しいゴルフのスイングフォームを容易に身に付けることができる、という優れた効果を奏する。
【００２２】
スイング動作「インサイド・イン」では、スイングする人は、ゴルフクラブのシャフトを、自身を回転軸に、撓らせた状態で斜めの円軌道を描きながら、地面に置かれたゴルフボールを打球する。このとき、シャフトの円軌道は、ゴルフボールより手前側で、ゴルフボールとの距離を意識的にとった位置を通って、重心の近くに位置するヘッドが、シャフトの弾性力を利用してヘッドスピードを上げながら、ゴルフボールに打撃する。そのため、シャフトが正しい軌跡で円運動されていないと、ヘッドの打点は、トップ位置からインパクト位置を経てフィニッシュ位置に至るまで、フェースの面振れがないまま、この円運動に追従した動きにならず、ゴルフボールを正確に捉えることができない。その結果、ゴルフボールは、意図する方向に飛ばない。このことを改善するため、本実施形態のゴルフスイング練習具１は、実際のゴルフクラブのシャフトを正しい軌跡で円運動させるスキルを身に付けるための練習具として、用いられる。
【００２３】
また、本実施形態のゴルフスイング練習具１では、疑似クラブヘッド部３は、軸Ｌ方向の外周を曲面３ａで形成したものであるので、練習者が、スイングの練習にゴルフスイング練習具１を用いて行うと、ゴルフボールを打撃するときのゴルフヘッドの打点をより正確な位置で捉えることができるスキルが身に付き易くなる。特に、疑似クラブヘッド部３の曲面３ａ上に、スイング時に自己動作チェックできるマーカー４があると、クラブヘッドのフェースの向きを特に意識しなくても、実際のゴルフボールを正確な打点位置で捉えるスキルが自然と身に付きようになる。ひいては、練習者が、実際のゴルフクラブを使用してスイングしたときにでも、違和感なく正確しいフォームでスイングすることができる。また、練習者が、疑似クラブヘッド部３のより正確な打点５の位置でゴムボール１１を捉えて打撃しているかどうかを、打撃後のゴムボール１１の飛球方向と、ゴムボール１１の飛び方によって、確認することができる。
【００２４】
以上において、本考案を実施形態に即して説明したが、本考案は上記実施形態に限定されるものではなく、その要旨を逸脱しない範囲で、適宜変更して適用できる。
（１）例えば、実施形態では、長さ４０〜８０ｃｍ程度に形成したシャフト部２に対し、疑似クラブヘッド部３の長さを３５ｃｍ程度としたが、疑似クラブヘッド部の全長は、実施形態に限定されるものでなく、適宜変更可能である。疑似クラブヘッド部を長くすると、打球対象物に疑似クラブヘッド部の打点を当てることに、高度なコントロール能力が必要となる。そのため、例えば、初心者がゴルフスイングの上達向上を早期に目指す場合等には、疑似クラブヘッド部の全長が長い本考案のゴルフスイング練習具を用いるのが好ましい。また、ある程度の技量を備えた練習者が本考案のゴルフスイング練習具を用いる場合には、疑似クラブヘッド部の全長が短いものでも良い。
（２）また、実施形態では、疑似クラブヘッド部３の外周を曲面３ａとしたが、疑似クラブヘッド部は、例えば、断面形状が多角形等の形状で形成されていても良く、打球対象物を打撃できる面が形成されていれば良い。
【符号の説明】
【００２５】
１  ゴルフスイング練習具
２  シャフト部
３  疑似クラブヘッド部
３ａ  曲面
Ｍ  （疑似クラブヘッド部の）軸
【図１】
0003188636.tif 000003
【図２】
0003188636.tif 000004
【図３】
0003188636.tif 000005